(57)【要約】【課題】指令台等が故障した場合にも一斉指令を発することができ、詳細な指令情報を各消防署等に確実に行き届かせる。【解決手段】署所端末装置４の各々は、一斉指令信号を送出する一斉指令信号送出手段を備え、指令装置１は、複数の署所端末装置４の一つ４Ａからの一斉指令信号を受信すると、指令台１及び一斉指令信号を送出した署所端末装置以外のすべての署所端末装置４Ｂ〜４Ｎに一斉指令を行う一斉指令手段を備える。一斉指令手段は、署所端末装置４Ａからの一斉指令信号を受信する信号検出部７と、指令トーンを発信する指令トーン発信部８と、信号検出部７からの一斉指令信号を受信すると、指令制御トランク５の入力側に指令トーン発信部８を接続し、指令制御トランク５の出力側に指令台１及び一斉指令信号を送出した署所端末装置４Ａ以外のすべての署所端末装置４Ｂ〜４Ｎを接続する制御手段６とを備える。【選択図】　図１
2004128904.tif 000002
【特許請求の範囲】
【請求項１】
指令台と、該指令台に接続された複数の署所端末装置との間で指令を発する指令装置において、
前記署所端末装置の各々は、一斉指令信号を送出する一斉指令信号送出手段を備え、
該指令装置は、前記複数の署所端末装置の一つからの一斉指令信号を受信すると、前記指令台及び該一斉指令信号を送出した署所端末装置以外のすべての署所端末装置に一斉指令を行う一斉指令手段を備えることを特徴とする指令装置。
【請求項２】
前記一斉指令手段は、
前記署所端末装置からの一斉指令信号を受信する信号検出部と、
指令トーンを発信する指令トーン発信部と、
前記信号検出部からの一斉指令信号を受信すると、指令制御トランクの入力側に前記指令トーン発信部を接続し、該指令制御トランクの出力側に前記指令台及び前記一斉指令信号を送出した署所端末装置以外のすべての前記署所端末装置を接続する制御手段とを備えることを特徴とする請求項１記載の指令装置。
【請求項３】
前記複数の署所端末装置の各々は、音声信号を送出する音声信号送出手段を備え、
該指令装置は、該複数の署所端末装置の一つからの音声信号を受信すると、前記指令台及び該音声信号を送出した署所端末装置以外のすべての前記署所端末装置に該音声信号を送出する音声信号送出手段を備えることを特徴とする請求項１または２記載の指令装置。
【請求項４】
前記署所端末装置は、消防署に配置されることを特徴とする請求項１、２または３記載の指令装置。
【請求項５】
指令台と、該指令台に接続された複数の署所端末装置との間で指令を伝達する指令伝達方法において、
前記複数の署所端末装置の一つが一斉指令信号を送出すると、前記指令台及び該一斉指令信号を送出した署所端末装置以外のすべての署所端末装置が前記一斉指令信号を受信することを特徴とする指令伝達方法。
【請求項６】
前記指令台及び前記一斉指令信号を送出した署所端末装置以外のすべての前記署所端末装置が前記一斉指令信号を受信すると、指令トーンが発信されることを特徴とする請求項５記載の指令伝達方法。
【請求項７】
前記複数の署所端末装置の一つから音声信号を送出すると、前記指令台及び該音声信号を送出した署所端末装置以外のすべての署所端末装置が前記音声信号を受信することを特徴とする請求項５または６記載の指令伝達方法。
【請求項８】
前記署所端末装置は、消防署に配置されることを特徴とする請求項５、６または７記載の指令装置。
【発明の詳細な説明】
【０００１】
【発明の属する技術分野】
本発明は、指令装置及び指令伝達方法に関し、特に、火災や急病人が発生し、緊急に救急車、消防車等を出動させる際等に使用される指令装置及び指令伝達方法に関する。
【０００２】
【従来の技術】
従来、火災等の際に１１９番通報を受けて消防車を出動させる場合には、指令装置と消防署との間の専用回線を介して消防署に設置された指令端末を起動して指令を伝達していた。
【０００３】
そして、専用回線のルートに障害が発生した場合でも、複雑な制御動作を行なうことなく、確実に消防署員に指令を伝達できるようにするため、回線トランクが専用回線の障害を検出すると、中央処理回路は、記憶回路から該当する消防署の加入者番号を読み出し、回線状態が正常な回線トランクの捕捉と同時に局線トランクの捕捉を行ない、この局線トランクから読み出した加入者番号を送出し、公衆網を経由して該当する消防署に設置されているＰＢＸを介して内線電話機を呼び出し、消防署員に指令を伝達して一刻も早く消防署員を出動させる技術が提案されている（例えば、特許文献１参照）。
【０００４】
【特許文献１】
特開平１１−２４３４４７号公報　（第１図乃至第５図）
【０００５】
【発明が解決しようとする課題】
しかし、上記特許文献１等に記載の緊急指令装置及び指令伝達方法においては、指令回線を使用した一斉指令は、本部の指令台からのみ行うことができるように構成されているため、指令台等が故障した場合等には、緊急指令を発することができないという問題があった。
【０００６】
また、指令台が正常であっても、本部からの一斉指令しか行うことができないため、指令情報が各消防署に詳細に行き届かないおそれがあるという問題があった。
【０００７】
そこで、本発明は、上記従来の技術における問題点に鑑みてなされたものであって、指令台等が故障した場合にも一斉指令を発することができるとともに、詳細な指令情報を各消防署に確実に行き届かせることのできる指令装置及び指令伝達方法を提供することを目的とする。
【０００８】
【課題を解決するための手段】
上記目的を達成するため、請求項１記載の発明は、指令台と、該指令台に接続された複数の署所端末装置との間で指令を発する指令装置において、前記署所端末装置の各々は、一斉指令信号を送出する一斉指令信号送出手段を備え、該指令装置は、前記複数の署所端末装置の一つからの一斉指令信号を受信すると、前記指令台及び該一斉指令信号を送出した署所端末装置以外のすべての署所端末装置に一斉指令を行う一斉指令手段を備えることを特徴とする。
【０００９】
請求項２記載の発明は、請求項１記載の指令装置において、前記一斉指令手段は、前記署所端末装置からの一斉指令信号を受信する信号検出部と、指令トーンを発信する指令トーン発信部と、前記信号検出部からの一斉指令信号を受信すると、指令制御トランクの入力側に前記指令トーン発信部を接続し、該指令制御トランクの出力側に前記指令台及び前記一斉指令信号を送出した署所端末装置以外のすべての前記署所端末装置を接続する制御手段とを備えることを特徴とする。
【００１０】
請求項３記載の発明は、請求項１または２記載の指令装置において、前記複数の署所端末装置の各々は、音声信号を送出する音声信号送出手段を備え、該指令装置は、該複数の署所端末装置の一つからの音声信号を受信すると、前記指令台及び該音声信号を送出した署所端末装置以外のすべての前記署所端末装置に該音声信号を送出する音声信号送出手段を備えることを特徴とする。
【００１１】
請求項４記載の発明は、請求項１、２または３記載の指令装置において、前記署所端末装置は、消防署に配置されることを特徴とする。
【００１２】
請求項５記載の発明は、指令台と、該指令台に接続された複数の署所端末装置との間で指令を伝達する指令伝達方法において、前記複数の署所端末装置の一つが一斉指令信号を送出すると、前記指令台及び該一斉指令信号を送出した署所端末装置以外のすべての署所端末装置が前記一斉指令信号を受信することを特徴とする。
【００１３】
請求項６記載の発明は、請求項５記載の指令伝達方法において、前記指令台及び前記一斉指令信号を送出した署所端末装置以外のすべての前記署所端末装置が前記一斉指令信号を受信すると、指令トーンが発信されることを特徴とする。
【００１４】
請求項７記載の発明は、請求項５または６記載の指令伝達方法において、前記複数の署所端末装置の一つから音声信号を送出すると、前記指令台及び該音声信号を送出した署所端末装置以外のすべての署所端末装置が前記音声信号を受信することを特徴とする。
【００１５】
請求項８記載の発明は、請求項５、６または７記載の指令装置において、前記署所端末装置は、消防署に配置されることを特徴とする。
【００１６】
そして、請求項１または５記載の発明によれば、一つの署所端末装置から発せられた一斉指令信号を、指令台及び該一斉指令信号を送出した署所端末装置以外のすべての署所端末装置で受信することができるため、指令台が故障した場合にも一斉指令を発することができる。
【００１７】
請求項２または６記載の発明によれば、指令台及び署所端末装置は、一斉指令としての指令トーンを受信することができる。
【００１８】
請求項３または７記載の発明によれば、一斉指令に加えて、音声によって情報を伝達することができるため、詳細な指令情報を各消防署に確実に行き届かせることが可能となる。
【００１９】
請求項４または８記載の発明によれば、消防署に署所端末装置を配置したため、消防署が１１９番通報を受けた場合等において、指令台等が故障した場合でも一つの消防署から他のすべての消防署に一斉指令を発すること等が可能となり、１１９番通報に迅速かつ確実に対応することができる。
【００２０】
【発明の実施の形態】
次に、本発明の実施の形態について図面を参照しながら詳細に説明する。尚、以下の説明においては、本発明にかかる指令装置を、１１９番通報を受け付ける指令台と、各消防署に配置された署所端末装置に適用した場合を例にとって説明する。
【００２１】
図１は本発明にかかる指令装置の一実施の形態を示し、この指令装置は、１１９番通報を受け付けるとともに、各消防署への指令の操作を行なう指令台１と、各消防署に配置された署所端末装置４（４Ａ乃至４Ｎ）と、指令台１と署所端末装置４との間に配置された回線交換装置２と、指令トランク３（３Ａ乃至３Ｎ）と、指令制御トランク５等で構成される。
【００２２】
回線交換装置２は、指令トランク３、指令制御トランク５、中央制御装置（制御手段）６、信号検出部７及び指令トーン発信器８と接続される。
【００２３】
指令トランク３は、専用回線を介して署所端末装置４に接続され、回線を監視する機能を有する。指令制御トランク５は、署所端末装置４等からの指令を制御する。信号検出部７は、指令トランク３を介して署所端末装置４からの信号を検出する。指令トーン発信器８は、一斉指令回線に指令トーンを送出する。中央制御装置６は、上記各装置を制御する。
【００２４】
署所端末装置４は、指令台１からの指令を受けるとともに、他の消防署等に一斉指令を行うための一斉指令釦、及び指令トーンの種別を指定する指令トーン種別釦を備える。
【００２５】
次に、上記構成を有する指令装置の動作について、図２乃至図４を参照しながら詳細に説明する。
【００２６】
図２に示すように、署所端末装置４Ａが一斉指令釦及び指令トーン種別釦を押下すると、一斉指令信号が発生し、指令トランク３Ａを介して信号検出部７に送出される。該一斉指令信号を受信した信号検出部７は、署所端末装置４Ａにおいて一斉指令釦及び指令トーン種別釦を押下されたことを中央制御装置６に伝達する。
【００２７】
すると、図３に示すように、中央制御装置６は、伝達された一斉指令信号の内容を解析し、指令制御トランク５の入力側に署所端末装置４Ａを接続する。次に、指令制御トランク５の出力側に一斉指令の対象となる指令トランク３Ｂ乃至３Ｎ及び指令台２を接続する。
【００２８】
さらに、図４に示すように、一斉指令元である指令トランク３Ａを一旦指令制御トランク５から切り離し、指令トーン発信部８と接続することにより、一斉指令回線に指令トーンを送出する。そして、指令トーン発信部８から指令トーンを送出した後、一斉指令元である指令トランク３Ａを再度接続し、必要に応じて音声による一斉指令を行うこともできる。
【００２９】
【発明の効果】
以上説明したように、本発明によれば、指令台等が故障した場合にも一斉指令を発することができるとともに、詳細な指令情報を各消防署に確実に行き届かせることのできる指令装置及び指令伝達方法を提供することができる。
【図面の簡単な説明】
【図１】本発明にかかる指令装置の一実施の形態の構成を示す図である。
【図２】図１の指令装置の動作説明図である。
【図３】図１の指令装置の動作説明図である。
【図４】図１の指令装置の動作説明図である。
【符号の説明】
１　　　　指令台
２　　　　回線交換装置
３（３Ａ乃至３Ｎ）　　　　指令トランク
４（４Ａ乃至４Ｎ）　　　　署所端末装置
５　　　　指令制御トランク
６　　　　中央制御装置
７　　　　信号検出部
８　　　　指令トーン発信器
【図１】
2004128904.tif 000003
【図２】
2004128904.tif 000004
【図３】
2004128904.tif 000005
【図４】
2004128904.tif 000006